【手続補正書】
【提出日】平成27年2月26日(2015.2.26)
【手続補正１】
【補正対象書類名】特許請求の範囲
【補正対象項目名】全文
【補正方法】変更
【補正の内容】
【特許請求の範囲】
【請求項１】
−ピクセルを備えるディスプレイパネルと、
−前記ディスプレイパネルの表示側に配列される視差バリアであって、前記視差バリアは、回転軸の回りを回転角度だけ回転可能な複数のｅインク粒子を有する第１のｅインク面を備え、前記ｅインク粒子は、第１の方向では光を透過し、第２の方向では不透明である、視差バリアと、
−すべての前記ｅインク粒子を、前記ディスプレイパネルのすべてのピクセルを第１の表示方向から見ることができる共通の第１の回転角度から、前記ディスプレイパネルのすべてのピクセルを第２の表示方向から見ることができる共通の第２の回転角度にセットするように、同期した方法で前記すべてのｅインク粒子を回転させるように、および、ユーザに立体視を与えるように前記ディスプレイパネルによるピクチャの再生および前記共通の第１の回転角度から前記共通の第２の回転角度への前記ｅインク粒子の前記回転を同期させるように構成される制御ユニットと、
を備える、裸眼立体視ディスプレイ。
【請求項２】
回転軸の回りを回転角度だけ回転可能な複数のｅインク粒子を備える第２のｅインク面をさらに備え、前記ｅインク粒子は、第１の方向では光を透過し、第２の方向では不透明であり、前記第２のｅインク面の前記ｅインク粒子は、前記第１のｅインク面の前記ｅインク粒子の前記回転軸と直交する回転軸を有する、請求項１に記載の裸眼立体視ディスプレイ。
【請求項３】
前記第１のｅインク面内の前記ｅインク粒子の前記回転軸は、互いに平行である、請求項１または２に記載の裸眼立体視ディスプレイ。
【請求項４】
同一のｅインク面内の前記ｅインク粒子の前記回転軸は、互いに平行である、請求項２に記載の裸眼立体視ディスプレイ。
【請求項５】
前記第１のｅインク面のｅインク粒子の前記回転軸は、垂直方向に整列され、前記第２のｅインク面の前記ｅインク粒子の前記回転軸は水平方向に整列される、請求項２又は４に記載の裸眼立体視ディスプレイ。
【請求項６】
前記ｅインク粒子は、光透過性半球体と、前記半球体の間の不透明境界面とを有する球体である、請求項１乃至５のいずれか一項に記載の裸眼立体視ディスプレイ。
【請求項７】
前記ｅインク粒子は、向かい合う側で逆帯電され、電界を印加することによって回転可能である、請求項１乃至６のいずれか一項に記載の裸眼立体視ディスプレイ。
【請求項８】
ユーザの頭部の位置および／または向きを追跡する頭部追跡装置をさらに備え、前記制御ユニットは、前記ｅインク粒子の前記回転角と、前記ユーザの頭部の判定された位置への、前記ディスプレイパネルの前記ピクチャの前記同期した再生とを調整するようにさらに構成される、請求項１乃至７のいずれか一項に記載の裸眼立体視ディスプレイ。
【請求項９】
前記第１のｅインク面は、第１および第２のインターリーブサブレイヤを備える、請求項１乃至８のいずれか一項に記載の裸眼立体視ディスプレイ。
【請求項１０】
前記第１および／または第２のｅインク面は第１および第２のインターリーブサブレイヤを備える、請求項２に記載の裸眼立体視ディスプレイ。
【請求項１１】
請求項１乃至１０のいずれか一項に記載の裸眼立体視ディスプレイを操作する方法であって、
−すべてのｅインク粒子を、同期した方法で前記共通の第１の回転角度から前記共通の第２の角度だけ回転させることと、
−ユーザに立体視を与えるように、前記ｅインク粒子の前記回転、および前記ディスプレイパネルによるピクチャの前記再生を同期させることと、
を含む、前記方法。
【請求項１２】
前記ｅインク粒子の前記回転、および前記ディスプレイパネルによるピクチャの前記再生を同期させることは、
−立体画像ペアの第１の画像を前記共通の第１の回転角度で表示することと、
−前記立体画像ペアの第２の画像を前記共通の第２の回転角度で表示することと、
をさらに含む、請求項１１に記載の方法。
【手続補正２】
【補正対象書類名】明細書
【補正対象項目名】００１３
【補正方法】変更
【補正の内容】
【００１３】
ｅインク粒子は好ましくは、向かい合う側で逆帯電され、電界を印加することによって枢動可能である。ただし、磁気モーメントは同様に、粒子のそれぞれの傾斜化の誘発に適している。この場合、球体状のｅインク粒子は、好ましくは傾斜軸に対して直角な正味磁気モーメントをもつ。これは、粒子が選択的に磁化される磁気物質を運ぶ半球体によって達成される。粒子の傾斜は、上述したケースの両方において、電界および／または磁界を印加することによって誘発される。
【手続補正３】
【補正対象書類名】明細書
【補正対象項目名】００５１
【補正方法】変更
【補正の内容】
【００５１】
以上、具体的な実施形態を参照して本発明を記載したが、本発明は、本実施形態に限定されるわけではなく、おそらく、特許請求の範囲に記載する本発明の範囲内であるさらなる代替形態が当業者には思いつくであろう。
本発明の好ましい実施形態を、以下に示す。
付記１．ａ）ディスプレイパネル（４）と、
ｂ）前記ディスプレイパネル（４）の表示側に配列される視差バリアであって、前記視差バリアは、傾斜軸の回りを傾斜角度だけ枢動可能な複数のｅインク粒子（１８）を有する第１のｅインク面（８）を備え、前記ｅインク粒子（１８）は、第１の方向では光を透過し、第２の方向では不透明である、視差バリアと、
ｃ）前記ｅインク粒子（１８）を共通傾斜角度にセットするように前記ｅインク粒子（１８）を傾斜させるように、また、ユーザに立体視を与えるように前記ディスプレイパネル（４）によるピクチャの再生および前記ｅインク粒子（１８）の前記傾斜を同期させるように構成される制御ユニットと、
を備える、裸眼立体視ディスプレイ（２）。
付記２．傾斜軸の回りを傾斜角度だけ枢動可能な複数のｅインク粒子（１８）を備える第２のｅインク面をさらに備え、前記ｅインク粒子（１８）は、第１の方向では光を透過し、第２の方向では不透明であり、前記第２のｅインク面の前記ｅインク粒子（１８）は、前記第１のｅインク面（８）の前記ｅインク粒子（１８）の前記傾斜軸とは異なる傾斜軸を有する、付記１に記載の裸眼立体視ディスプレイ（２）。
付記３．同一のｅインク面（２４、２６）内の前記ｅインク粒子（１８）の前記傾斜軸は、互いと平行である、付記１または２に記載の裸眼立体視ディスプレイ（２）。
付記４．前記第１のｅインク面（８）のｅインク粒子（１８）の前記傾斜軸は、垂直方向に整列され、前記第２のｅインク面の前記ｅインク粒子（１８）の前記傾斜軸は水平方向に整列される、付記１乃至３のいずれか一つに記載の裸眼立体視ディスプレイ（２）。
付記５．前記ｅインク粒子（１８）は、光透過性半球体（２０）と、前記半球体（２０）の間の不透明境界表面（２２）とを有する球体である、付記１乃至４のいずれか一つに記載の裸眼立体視ディスプレイ（２）。
付記６．前記ｅインク粒子（１８）は、電界を印加することによって、両側で逆帯電され、枢動可能である、付記１乃至５のいずれか一つに記載の裸眼立体視ディスプレイ（２）。
付記７．ユーザの頭部の位置および／または向きを追跡する頭部追跡装置をさらに備え、前記制御ユニットは、前記ｅインク粒子（１８）の前記傾斜角と、前記ユーザの頭部の判定された位置への、前記ディスプレイパネル（４）の前記ピクチャの前記同期した再生とを協調させるようにさらに構成される、付記１乃至６のいずれか一つに記載の裸眼立体視ディスプレイ（２）。
付記８．前記第１および／または第２のｅインク面（８）は、第１および第２のインターリーブサブレイヤ（２４、２６）を備える、付記１乃至７のいずれか一つに記載の裸眼立体視ディスプレイ（２）。
付記９．付記１乃至８のいずれか一つに記載の裸眼立体視ディスプレイ（２）を操作する方法であって、
ａ）前記ｅインク粒子（１８）を、前記共通傾斜角度だけ傾斜させるステップと、
ｂ）ユーザに立体視を与えるように、前記ｅインク粒子（１８）の前記傾斜化、および前記ディスプレイパネル（４）のピクチャの前記再生を同期させるステップと、
を含む、前記方法。
付記１０．前記ｅインク粒子（１８）の前記傾斜化、および前記ディスプレイパネル（４）によるピクチャの前記再生を同期させる前記ステップは、
ａ）立体画像ペアの第１の画像を第１の傾斜角度で表示するステップと、
ｂ）前記立体画像ペアの第２の画像を第２の傾斜角度で表示するステップと、
をさらに含む、付記９に記載の方法。